【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
医療デバイスであって、
ステープルを有するステープリングデバイスを有する外科的ステープリング端部作動体と、
前記端部作動体を制御ハンドルに結合する連接ジョイントと、
を具えており、前記制御ハンドルが、
前記連接ジョイントに結合され、連接ジョイントアクチュエータが非作動のときの固定状態と、前記連接ジョイントアクチュエータが作動しているときの連接状態との間で、前記連接ジョイントの連接状態を変えるよう動作可能な連接ジョイントアクチュエータと、
作動時に前記ステープリングデバイスを閉じるステープラ閉鎖アクチュエータと、
作動時に前記ステープルをステープリングするステープル発射アクチュエータと、を具えることを特徴とする医療デバイス。
【請求項２】
請求項１に記載の医療デバイスにおいて、
前記ステープラ閉鎖アクチュエータ及び前記ステープル発射アクチュエータが、前記連接ジョイントアクチュエータとは異なることを特徴とする医療デバイス。
【請求項３】
請求項２に記載の医療デバイスにおいて、
前記ステープラ閉鎖アクチュエータの一部及び前記ステープル発射アクチュエータの一部が、前記連接ジョイントを通過して、前記連接ジョイントの連接に対応する方法で撓むことを特徴とする医療デバイス。
【請求項４】
請求項１に記載の医療デバイスにおいて、
前記外科的ステープリング端部作動体が、刃付切断デバイスを有しており、
前記ステープル発射アクチュエータが、作動時に前記切断デバイスで組織を切除することを特徴とする医療デバイス。
【請求項５】
請求項１に記載の医療デバイスにおいて、
前記連接ジョイントが、
前記連接ジョイントが作動していないときに、適切な位置に前記外科的ステープリング端部作動体を連接的に保持し、
前記連接ジョイントが作動しているときに、前記外科的ステープリング端部作動体を連接的に解放することを特徴とする医療デバイス。
【請求項６】
請求項１に記載の医療デバイスにおいて、
前記連接ジョイントアクチュエータによって、前記連接ジョイントが、
前記連接ジョイントアクチュエータが作動していないときに、適切な位置に前記外科的ステープリング端部作動体を連接的に保持し、
前記連接ジョイントアクチュエータが作動しているときに、前記外科的ステープリング端部作動体を連接的に解放することを特徴とする医療デバイス。
【請求項７】
請求項１に記載の医療デバイスにおいて、
前記外科的ステープリング端部作動体が、連接ロック状態及び連接解放状態を具えた連接ロックを有しており、
前記連接ジョイントアクチュエータが、
前記非作動状態から前記作動状態に変わるときに、前記連接ロックを前記連接ロック状態から前記連接解放状態に変更し、
前記作動状態から前記非作動状態に変わるときに、前記連接ロックを前記連接解放状態から前記連接ロック状態に変更することを特徴とする医療デバイス。
【請求項８】
請求項１に記載の医療デバイスにおいて、
前記連接ジョイントアクチュエータが、非作動状態及び作動状態を有しており、
前記作動状態のときに前記連接ジョイントを連接的に解放することを特徴とする医療デバイス。
【請求項９】
請求項１に記載の医療デバイスにおいて、
前記制御ハンドルを前記連接ジョイントを介して前記ステープル発射アクチュエータに連結する少なくとも１の第１のフレキシブルビームと、
前記外科的ステープリング端部作動体を前記連接ジョイントを介して前記制御ハンドルに長手方向に連結する少なくとも１の第２のフレキシブルビームと、
を具えており、
前記少なくとも１の第１のフレキシブルビーム及び前記少なくとも１の第２のフレキシブルビームが、前記連接ジョイントの連接に対応する方法で撓むことを特徴とする医療デバイス。
【請求項１０】
請求項１に記載の医療デバイスにおいて、
前記連接ジョイントアクチュエータの連接が、前記外科的ステープリング端部作動体への連接係止を解除することを特徴とする医療デバイス。
【請求項１１】
請求項１に記載の医療デバイスにおいて、
前記連接ジョイントアクチュエータが、遠位側を向いた歯を有するプルロックを有しており、
前記連接ジョイントが、前記連接ジョイントアクチュエータが非作動時に前記遠位側を向いた歯と相互係合する近位側を向いた歯を有するギアを有しており、
前記連接ジョイントアクチュエータが、前記連接ジョイントアクチュエータが非作動時に前記遠位側を向いた歯の前記近位側を向いた歯からの係合を解除して、前記外科的ステープリング端部作動体を連接的に解放することを特徴とする医療デバイス。
【請求項１２】
請求項１に記載の医療デバイスにおいて、
前記連接ジョイントは、
ボールと、
カップデバイスと、
前記ボールと前記カップデバイスとを互いに係止及び係止解除するボールカップ係止デバイスであって、前記ボールカップ係止デバイスが、前記制御ハンドルが非作動状態にあるときに係止状態にあり、前記制御ハンドルが作動状態にあるときに係止解除状態にある、ボールカップ係止デバイスと、
を具えるボールジョイントであり、
前記外科的ステープリング端部作動体が、前記ボール及び前記カップデバイスの一方を有しており、
前記制御ハンドルが、前記ボール及び前記カップデバイスの他方を有することを特徴とする医療デバイス。
【請求項１３】
請求項１２に記載の医療デバイスにおいて、
前記ボールが、前記ボールが前記カップデバイスに取り外し可能に連結されていることを特徴とする医療デバイス。
【請求項１４】
請求項１２に記載の医療デバイスにおいて、
前記外科的ステープリング端部作動体が長手方向に二つの端部を有し、
前記ボールが二つのボールであって、この二つのボールの各々が前記長手方向の二つの端部の一方に配置されており、
前記二つのボールが前記カップデバイスに取り外し可能に連結可能であることを特徴とする医療デバイス。
【請求項１５】
医療デバイスであって、
ステープルを有するステープリングデバイスと刃付切断デバイスとを有する外科用ステープリング端部作動体と、
制御ハンドルであって、
作動時に前記ステープリングデバイスを閉じるステープラ閉鎖アクチュエータと、
作動時に、前記ステープルをステープリングすることと、前記切断デバイスで組織を切除することを行うステープル発射アクチュエータと、
非作動状態及び作動状態を有する連接ジョイントアクチュエータと、
を有する制御ハンドルと、
前記外科用ステープリング端部作動体を前記制御ハンドルに連結する連接ジョイントと、
を具えており、前記外科用ステープリング端部作動体が、
前記連接ジョイントアクチュエータが前記作動状態のときに、連接するよう作動し、
前記連接ジョイントアクチュエータが前記非作動状態のときに、所定の連接位置でロックされることを特徴とする医療デバイス。
【請求項１６】
請求項１５に記載の医療デバイスにおいて、
前記ステープラ閉鎖アクチュエータ及び前記ステープル発射アクチュエータが、前記連接ジョイントアクチュエータとは異なることを特徴とする医療デバイス。
【請求項１７】
医療デバイスであって、
制御ハンドルと、
制御シャフトであって、
長手軸と、
前記制御シャフトを前記制御ハンドルに前記長手軸を中心として回転するよう結合するハンドル部と、
を有する制御シャフトと、
外科用ステープリング端部作動体と、
前記外科用ステープリング端部作動体を前記制御シャフトに連結する連接ジョイントと、
作動時に前記連接ジョイントの係止解除をし、非作動時に前記連接ジョイントを係止する連接ジョイントリリースと、
端部作動体制御デバイスであって、
前記制御シャフトの少なくとも一部に回転するよう固定結合されて、前記制御デバイスが回転するときに前記長手軸を中心として前記制御シャフトを対応するよう回転させ、    前記ジョイントリリースに長手方向に結合されて、作動時に前記連接ジョイントを選択的に係止解除する、
端部作動体制御デバイスと、
を具えることを特徴とする医療デバイス。
【請求項１８】
請求項１７に記載の医療デバイスにおいて、
前記外科用ステープリング端部作動体が、ステープルを有するステープリングデバイスと刃付切断デバイスとから成り、
前記制御ハンドルが、
作動時に前記ステープリングデバイスを閉じるステープラ閉鎖アクチュエータと、
作動時に、前記ステープリングデバイスでステープリングし、前記切断デバイスで切除する、発射アクチュエータと、
を有しており、
前記ステープラ閉鎖アクチュエータ及び前記発射アクチュエータが、前記連接ジョイントリリースとは異なることを特徴とする医療デバイス。
【請求項１９】
明細書に記載の医療デバイス。